(57)【特許請求の範囲】
【請求項１】
原稿の読み取りを伴う所定ジョブの設定を受け付けるとともに、前記所定ジョブの開始指示を受け付ける受付部と、
前記受付部が前記所定ジョブの開始指示を受け付けると、セットされた原稿を読み取って原稿の画像データを生成する画像読取部と、
前記画像読取部による原稿の読み取りによって得られた原稿の画像データに基づく出力を行う出力部と、
前記所定ジョブの実行時に前記画像読取部により生成された原稿の画像データを再出力用データとして記憶する記憶部と、
前記再出力用データを消去するトリガーとして予め定められたトリガー操作が行われたか否かの検知を行い、前記所定ジョブの終了後、前記トリガー操作が行われたと判断するまで、前記再出力用データを前記記憶部に記憶させ続ける制御部と、を備え、
前記制御部は、前記所定ジョブの終了後、前記画像読取部による原稿の読み取りに関する設定を前記受付部に対して行う操作を検知すると、前記トリガー操作が行われたと判断し、前記再出力用データを前記記憶部から消去させ、その一方で、前記画像読取部による原稿の読み取りに関する設定以外の設定が前記受付部に対して行われても、その設定操作を前記トリガー操作として検知せず、
前記画像読取部による原稿の読み取りに関する設定は、読取解像度の設定、原稿サイズの設定、および、原稿画質の設定を含み、
前記所定ジョブが終了してから、前記制御部により前記トリガー操作が行われたと判断されるまでの間に、前記受付部が前記所定ジョブの開始指示を受け付けたとき、
前記画像読取部は、原稿の読み取りは行わず、前記出力部は、前記再出力用データに基づく出力を行うことを特徴とする画像形成装置。
【請求項２】
前記出力部は、前記画像読取部による原稿の読み取りによって得られた原稿の画像データに基づく画像を用紙に印刷して出力する印刷部であることを特徴とする請求項１に記載の画像形成装置。
【請求項３】
前記制御部は、前記所定ジョブの終了後、前記印刷部による印刷出力に関する設定を前記受付部に対して行う操作を検知しても、前記トリガー操作が行われたと判断しないことを特徴とする請求項２に記載の画像形成装置。
【請求項４】
前記出力部は、前記画像読取部による原稿の読み取りによって得られた原稿の画像データを送信データとして外部機器に送信する通信部であることを特徴とする請求項１〜３のいずれか１項に記載の画像形成装置。
【発明の詳細な説明】
【技術分野】
【０００１】
本発明は、原稿の読み取りを伴うジョブの実行が可能な画像形成装置に関する。
【背景技術】
【０００２】
従来、コピージョブなど原稿の読み取りを伴うジョブの実行が可能な画像形成装置が知られている。このような画像形成装置は、原稿を読み取って原稿の画像データを生成する画像読取部を含む。そして、たとえば、コピージョブを実行するときには、画像読取部による原稿の読み取りによって得られた原稿の画像データに基づく画像を用紙に印刷する。
【０００３】
画像形成装置にて原稿の読み取りを伴うジョブを実行するユーザーは、画像形成装置に原稿をセットし、画像形成装置に対してコピージョブの開始を指示する。コピージョブの開始指示を受けた画像形成装置は、原稿の画像を用紙に印刷するため、画像読取部で原稿を読み取って原稿の画像データを生成する。
【０００４】
たとえば、コピージョブにおいて、コピー部数が大量になるとき、試しに１部コピーを行い、その出力結果で問題ないか否かを確認した上で必要な部数のコピーを行う、ということがユーザーによってなされる場合がある（以下、このようなコピーを再コピーと称する）。この場合、試しコピーの出力結果に問題が無いことをユーザーが確認すれば、原稿の読み取り設定はそのままで、画像形成装置に対してコピージョブの開始指示が再度行われる。すなわち、画像形成装置にて同じ設定内容での原稿の読み取りが繰り返されることになる。
【０００５】
しかし、１度読み取った原稿を同じ設定内容で再度読み取るのは、低消費電力の観点から効率的ではない。また、画像読取部による原稿の読み取り時には、機構部の駆動音（モーターの回転音など）が装置内から発せられるので、原稿の読み取りが繰り返されると、静音性の観点からも好ましくない。
【０００６】
ここで、特許文献１には、ボックス機能を搭載する画像形成装置が開示されている。このボックス機能を搭載した画像形成装置では、画像読取部による原稿の読み取りによって得られた原稿の画像データをボックスと称される保存領域に保存しておくことができ、また、任意のタイミングで、ボックスに保存した原稿の画像データに基づく出力（印刷出力やデータ送信）を行うことができる。したがって、再コピーを行う場合、予めコピー対象の原稿の読み取りを行って原稿の画像データをボックスに保存しておくようにすれば、同じ原稿の読み取りを何度も行わなくてもよくなる。すなわち、ボックス機能を利用した原稿の読み取りを行った後、まず、ボックスに保存された原稿の画像データに基づく画像の印刷を１部行い、その出力結果に問題が無ければ、次に、ボックスに保存された原稿の画像データに基づく画像の印刷を必要な部数行えばよい。
【先行技術文献】
【特許文献】
【０００７】
【特許文献１】特開２００５−１１９１１９号公報
【発明の概要】
【発明が解決しようとする課題】
【０００８】
ボックス機能を搭載する画像形成装置において、ボックス機能を利用するには、原稿を読み取るときに、原稿の画像データの保存先を設定しておかなければならない。また、ボックスに保存された原稿の画像データに基づく画像を印刷するときに、印刷対象の画像データが保存されたボックスを検索し、そのボックスから印刷対象の画像データを選択しなければならない。したがって、ボックス機能を利用した再コピーでは、ユーザーからすると、行うべき操作が増えるので、煩わしく利便性が悪い。
【０００９】
また、たとえば、他のユーザーに見られたくない個人情報などの機密情報が記載された原稿の画像データをボックスに保存した場合、ボックスに保存された原稿の画像データの消去をし忘れると、当該画像データに基づく出力（印刷出力やデータ送信）が他のユーザーによって行われる可能性がある。したがって、他のユーザーに機密情報が漏れてしまうという不都合が生じる。
【００１０】
本発明は、上記課題を解決するためになされたものであり、原稿の読み取りを伴うジョブを実行するユーザーの利便性を向上させるとともに、そのジョブで読取対象となっていた原稿に記載の情報が他のユーザーに漏洩するのを抑制することが可能な画像形成装置を提供することを目的とする。
【課題を解決するための手段】
【００１１】
上記目的を達成するために、本発明の画像形成装置は、原稿の読み取りを伴う所定ジョブの設定を受け付けるとともに、所定ジョブの開始指示を受け付ける受付部と、受付部が所定ジョブの開始指示を受け付けると、セットされた原稿を読み取って原稿の画像データを生成する画像読取部と、画像読取部による原稿の読み取りによって得られた原稿の画像データに基づく出力を行う出力部と、所定ジョブの実行時に画像読取部により生成された原稿の画像データを再出力用データとして記憶する記憶部と、再出力用データを消去するトリガーとして予め定められたトリガー操作が行われたか否かの検知を行い、所定ジョブの終了後、トリガー操作が行われたと判断するまで、再出力用データを記憶部に記憶させ続ける制御部と、を備える。この構成において、制御部は、所定ジョブの終了後、画像読取部にセットされた原稿を除去する操作、または、画像読取部による原稿の読み取りに関する設定を受付部に対して行う操作を検知すると、トリガー操作が行われたと判断し、再出力用データを記憶部から消去させる。そして、所定ジョブが終了してから、制御部によりトリガー操作が行われたと判断されるまでの間に、受付部が所定ジョブの開始指示を受け付けたとき、画像読取部は、原稿の読み取りは行わず、出力部は、再出力用データに基づく出力を行う。
【００１２】
本発明の構成では、所定ジョブの実行時に画像読取部で生成した原稿の画像データを再出力用データとして記憶部に記憶させる。そして、所定ジョブの終了後、トリガー操作が行われることなく所定ジョブの開始指示を受付部が受け付けると、前回（直近）の所定ジョブの実行時に読取対象となっていた原稿の画像データ（記憶部に記憶された再出力用データ）に基づく出力を行う。したがって、ユーザーからすると、所定ジョブの終了後、トリガー操作を行うことなく所定ジョブの開始指示を受付部に対して行うだけで、前回の所定ジョブで得られた出力結果と同じ出力結果を今回の所定ジョブでも得ることができる（たとえば、再コピーを行うことができる）ので、利便性が良い。さらに、再出力用データに基づく出力時には、画像読取部による原稿の読み取りは行われない。このため、消費電力を低減することができるとともに、静音性も向上する。
【００１３】
また、本発明の構成では、所定ジョブの終了後、別の原稿を読取対象とした所定ジョブを実行するときには、前回の所定ジョブで読取対象となっていた原稿を除去すると、記憶部から再出力用データが消去される。あるいは、所定ジョブの終了後、原稿はそのままで、原稿の読み取りに関する設定を変更して所定ジョブを実行するときには、原稿の読み取りに関する設定を変更すると、記憶部から再出力用データが消去される。これにより、意図していないにもかかわらず、今回の所定ジョブで得られる出力結果が前回の所定ジョブで得られた出力結果と同じになってしまうという不都合が発生するのを抑制することができる。
【００１４】
さらに、再出力用データを消去するために専用の操作が必要であれば、所定ジョブの終了後に再出力用データの消し忘れが発生する恐れがあるが、本発明の構成では、所定ジョブの終了後、画像形成装置から立ち去るときに原稿を除去すると、記憶部から再出力用データが消去される。これにより、再出力用データに基づく出力が他のユーザーによって行われるのを抑制することができる。すなわち、原稿に記載の情報が他のユーザーに漏洩するのを抑制することができる。
【発明の効果】
【００１５】
以上のように、本発明の構成では、原稿の読み取りを伴うジョブを実行するユーザーの利便性を向上させることができるとともに、そのジョブで読取対象となっていた原稿に記載の情報が他のユーザーに漏洩するのを抑制することができる。
【図面の簡単な説明】
【００１６】
【図１】本発明の一実施形態による複合機の概略図
【図２】本発明の一実施形態による複合機のハードウェア構成を説明するためのブロック図
【図３】本発明の一実施形態による複合機のうち原稿搬送ユニットが装着された画像読取部のハードウェア構成を説明するためのブロック図
【図４】本発明の一実施形態による複合機の操作パネルに表示される画面（所定ジョブの設定を行うための設定画面）の一例を示した図
【図５】本発明の一実施形態による複合機において実行される所定ジョブの実行時の処理の流れを説明するためのフローチャート
【発明を実施するための形態】
【００１７】
以下に、本発明の一実施形態について、プリンター機能、コピー機能および送信機能（たとえば、ＦＡＸ機能）などを搭載する複合機を例にとって説明する。
【００１８】
＜複合機の全体構成＞
図１に示すように、本実施形態の複合機１００は、原稿搬送ユニット１が装着された画像読取部２と、印刷部３（給紙部４、用紙搬送部５、画像形成部６および定着部７）と、操作パネル８と、を備える。
【００１９】
原稿搬送ユニット１が装着された画像読取部２は、搬送読取用のコンタクトガラス２０ａおよび載置読取用のコンタクトガラス２０ｂが嵌め込まれたフレーム（読取台）を有する。そして、画像読取部２は、コンタクトガラス２０ａ上を通過する原稿Ｄを読み取る搬送読取、および、コンタクトガラス２０ｂ上にセットされた原稿Ｄを読み取る載置読取を行う。
【００２０】
原稿搬送ユニット１は、画像読取部２のフレームに開閉可能（回動可能）に取り付けられる。そして、コンタクトガラス２０ａ上への原稿Ｄの搬送は、原稿搬送ユニット１が行う。具体的には、原稿搬送ユニット１は、原稿セットトレイ１１、原稿排出トレイ１２、給紙ローラー１３および搬送ローラー対１４を含む。また、原稿搬送ユニット１には、原稿セットトレイ１１から搬送読取時の原稿読取位置であるコンタクトガラス２０ａ上（以下、読取位置ＲＰと称する）を経由して原稿排出トレイ１２に至る原稿搬送路１０が設けられる。
【００２１】
原稿セットトレイ１１は、読み取り前の原稿Ｄがセットされるトレイであり、原稿排出トレイ１２は、読み取り後の原稿Ｄが排出されるトレイである。給紙ローラー１３および搬送ローラー対１４は、原稿セットトレイ１１にセットされた原稿Ｄを読取位置ＲＰに搬送して原稿排出トレイ１２に排出するためのものである。給紙ローラー１３は、原稿搬送路１０の最も上流側に配置され、原稿セットトレイ１１にセットされた原稿Ｄを原稿搬送路１０に供給する。搬送ローラー対１４は、原稿搬送路１０に沿って複数配置され、給紙ローラー１３と共に原稿搬送路１０に沿って原稿Ｄを搬送する。これら給紙ローラー１３および搬送ローラー対１４により原稿搬送路１０に沿って搬送される原稿Ｄは、読取位置ＲＰを通過し、最終的に原稿排出トレイ１２に排出される。
【００２２】
この原稿搬送ユニット１には、原稿セットトレイ１１での原稿Ｄの有無を検知するための原稿検知部材Ｄ１が設けられる。原稿検知部材Ｄ１は、たとえば、発光部、受光部、および、発光部と受光部との間を移動するとともに原稿Ｄがセットされる領域（原稿セットトレイ１１上）に突出するアクチュエーターを有する光センサーである。原稿検知部材Ｄ１のアクチュエーターは、原稿セットトレイ１１に原稿Ｄが有ると、原稿Ｄに押圧されて下方に移動し、発光部と受光部との間の光路を遮断（または、開放）する。一方で、原稿検知部材Ｄ１のアクチュエーターは、原稿セットトレイ１１から原稿Ｄが無くなると、原稿Ｄによる押圧が解除されることで上方に移動し、発光部と受光部との間の光路を開放（または、遮断する）する。これにより、原稿セットトレイ１１に原稿Ｄが有るときと無いときとで原稿検知部材Ｄ１の出力が変化する。そして、後述するスキャン制御部１３０（図２および図３参照）は、原稿検知部材Ｄ１の出力に基づき、原稿セットトレイ１１に原稿Ｄがセットされたか否かを検知する。
【００２３】
また、画像読取部２は、ランプ２１、イメージセンサー２２、ミラー２３およびレンズ２４を含み、原稿Ｄを光学的に読み取る。これら画像読取部２の各部材は、画像読取部２のフレーム内に配置される。
【００２４】
ランプ２１は、複数のＬＥＤ素子を有し、原稿Ｄに照射する光を生成する。複数のＬＥＤ素子は、図示しないが、主走査方向にライン状に配列される。そして、ランプ２１は、搬送読取時には、コンタクトガラス２０ａに向けて光を照射する（コンタクトガラス２０ａを透過した光が原稿Ｄを照射する）。一方で、ランプ２１は、載置読取時には、コンタクトガラス２０ｂに向けて光を照射する（コンタクトガラス２０ｂを透過した光が原稿Ｄを照射する）。原稿Ｄで反射された反射光は、ミラー２３で反射され、レンズ２４に導かれる。レンズ２４は、反射光を集光する。
【００２５】
イメージセンサー２２は、原稿Ｄで反射された反射光（レンズ２４で集光された光）を受光することにより原稿Ｄをライン単位で読み取る。このイメージセンサー２２は、主走査方向にライン状に並ぶ複数の光電変換素子を有するＣＣＤからなり、反射光を受光すると、ライン単位で画素毎に光電変換して電荷を蓄積する。そして、イメージセンサー２２は、蓄積電荷に応じたアナログ信号を出力する。すなわち、イメージセンサー２２の画素毎のアナログ出力は、反射光の光量に応じて変化する。
【００２６】
ランプ２１およびミラー２３は、副走査方向に移動可能な保持部材２５によって保持される。保持部材２５は、ワイヤー２６に連結される。このワイヤー２６は、巻取ドラム２７に巻回される。これにより、巻取ドラム２７が回転することによって保持部材２５が副走査方向に移動し、ランプ２１およびミラー２３が保持部材２５と共に副走査方向に移動する。なお、搬送読取時には、保持部材２５がコンタクトガラス２０ａの下方で静止する。載置読取時には、保持部材２５が副走査方向（正面から見て左から右に向かう方向）に移動する。
【００２７】
この画像読取部２（フレーム内）には、原稿搬送ユニット１の開閉を検知するための開閉検知部材Ｄ２が設けられる。開閉検知部材Ｄ２は、たとえば、発光部、受光部、および、発光部と受光部との間を移動するとともに原稿搬送ユニット１側の領域に向かって突出するアクチュエーターを有する光センサーである。開閉検知部材Ｄ２のアクチュエーターは、原稿搬送ユニット１の傾きが所定角度よりも小さくなると、原稿搬送ユニット１により押圧されて下方に移動し、発光部と受光部との間の光路を遮断（または、開放）する。一方で、開閉検知部材Ｄ２のアクチュエーターは、原稿搬送ユニット１の傾きが所定角度よりも大きくなると、原稿搬送ユニット１による押圧が解除されることで上方に移動し、発光部と受光部との間の光路を開放（または、遮断）する。これにより、原稿搬送ユニット１が開閉されることによって開閉検知部材Ｄ２の出力が変化する。そして、後述するスキャン制御部１３０（図２および図３参照）は、開閉検知部材Ｄ２の出力に基づき、原稿搬送ユニット１の開閉を検知する。
【００２８】
また、印刷部３は、給紙部４、用紙搬送部５、画像形成部６および定着部７によって構成される。そして、印刷部３は、用紙搬送路３０に沿って用紙Ｐを搬送し、たとえば、画像読取部２による原稿Ｄの読み取りによって得られた原稿Ｄの画像データに基づく画像を用紙Ｐに印刷して出力する。すなわち、印刷部３は、画像データに基づく出力を行う。なお、印刷部３は、「出力部」に相当する。
【００２９】
給紙部４は、用紙カセット４１に収容された用紙Ｐを用紙搬送路３０に供給する。この給紙部４は、ピックアップローラー４２および給紙ローラー対４３を含む。ピックアップローラー４２は、用紙カセット４１に収容された用紙Ｐを給紙ローラー対４３の給紙ニップに送り、給紙ローラー対４３は、給紙ニップに進入した用紙Ｐを用紙搬送路３０に供給する。
【００３０】
用紙搬送部５は、用紙搬送路３０に供給された用紙Ｐを転写ニップおよび定着ニップの順番で搬送し、排出トレイ５１に排出する。この用紙搬送部５は、用紙搬送路３０に沿って配置された搬送ローラー対５２を複数含む。
【００３１】
画像形成部６は、画像データに基づきトナー像を形成し、そのトナー像を用紙Ｐに転写する。この画像形成部６は、感光体ドラム６１、帯電装置６２、露光装置６３、現像装置６４、転写ローラー６５およびクリーニング装置６６を含む。
【００３２】
画像形成時には、感光体ドラム６１が回転し、その感光体ドラム６１の表面を帯電装置６２が所定電位に帯電させる。また、露光装置６３は、感光体ドラム６１の表面を走査露光し、感光体ドラム６１の表面に静電潜像を形成する。現像装置６４は、感光体ドラム６１の表面に形成された静電潜像にトナーを供給して現像する。
【００３３】
転写ローラー６５は、感光体ドラム６１の表面に圧接し、感光体ドラム６１との間で転写ニップを形成する。これにより、転写ニップに用紙Ｐが進入すると、感光体ドラム６１の表面のトナー像が用紙Ｐに転写される。クリーニング装置６６は、用紙Ｐへのトナー像の転写が終わると、感光体ドラム６１の表面に残留するトナーなどを除去する。
【００３４】
定着部７は、用紙Ｐに転写されたトナー像を加熱および加圧して定着させる。定着部７は、加熱ローラー７１および加圧ローラー７２を含む。加熱ローラー７１は、発熱源を内蔵する。加圧ローラー７２は、加熱ローラー７１に圧接し、加熱ローラー７１との間で定着ニップを形成する。そして、トナー像が転写された用紙Ｐは、定着ニップを通過することにより、加熱および加圧される。
【００３５】
操作パネル８は、ジョブの設定を受け付けるとともに、ジョブの開始指示受け付ける。なお、操作パネル８は、「受付部」に相当する。この操作パネル８は、タッチパネル付きの液晶表示部８１を含む。液晶表示部８１は、ジョブの設定を受け付けるためのソフトキーやメッセージなどを表示する。また、操作パネル８には、スタートキー８２やテンキー８３などのハードキーも設けられる。スタートキー８２は、ジョブの開始指示を受け付けるためのハードキーである。テンキー８３は、ジョブの設定時に数値を入力するためのハードキーである。
【００３６】
＜複合機のハードウェア構成＞
図２に示すように、複合機１００は、主制御部１１０（「制御部」に相当）を備える。主制御部１１０は、ＣＰＵ１１１および画像処理部１１２を含み、制御用のプログラムやデータなどを格納する記憶部１２０と接続される。ＣＰＵ１１１は、記憶部１２０に記憶された制御用のプログラムやデータに基づき、複合機１００の各部の動作を制御する。画像処理部１１２は、画像処理専用のＡＳＩＣなどからなり、画像データに対して画像処理（拡大／縮小、濃度変換およびデータ形式変換など）を施す。
【００３７】
記憶部１２０は、ＲＯＭ、ＲＡＭおよびＨＤＤなどを含む。制御用のプログラムやデータは、ＲＯＭあるいはＨＤＤに記憶され、ＲＡＭに読み出される。さらに、原稿Ｄの読み取りを伴うジョブが実行されると、後述する再出力用データ（画像データ）が記憶部１２０に一時的に保存される。なお、再出力用データについては後で詳細に説明する。
【００３８】
また、主制御部１１０は、スキャン制御部１３０と接続される。スキャン制御部１３０は、主制御部１１０から指示を受け、原稿搬送ユニット１の原稿搬送動作および画像読取部２の画像読取動作を制御する。
【００３９】
具体的には、図３に示すように、スキャン制御部１３０は、搬送モーターＭ１と接続され、給紙ローラー１３および搬送ローラー対１４を適切に回転させる。また、スキャン制御部１３０は、巻取モーターＭ２と接続され、巻取ドラム２７を適切に回転させる。すなわち、スキャン制御部１３０は、ランプ２１（保持部材２５）を副走査方向に適切に移動させる。
【００４０】
スキャン制御部１３０には、ランプ２１およびイメージセンサー２２も接続される。そして、スキャン制御部１３０は、ランプ２１およびイメージセンサー２２の各動作を制御する。さらに、スキャン制御部１３０は、イメージセンサー２２のアナログ出力を処理するため、アナログ処理部２２１、補正部２２２および画像メモリー２２３と接続される。アナログ処理部２２１は、増幅回路やＡ／Ｄ変換回路などを含み、イメージセンサー２２のアナログ出力を増幅し、デジタルの画像データに変換して出力する。補正部２２２は、シェーディング補正などの補正を行う。画像メモリー２２３は、画像データを蓄積し、主制御部１１０（画像処理部１１２）に転送する。
【００４１】
また、スキャン制御部１３０は、原稿検知部材Ｄ１および開閉検知部材Ｄ２と接続される。スキャン制御部１３０は、原稿検知部材Ｄ１の出力に基づき原稿セットトレイ１１での原稿Ｄの有無を検知し、開閉検知部材Ｄ２の出力に基づき原稿搬送ユニット１の開閉を検知する。原稿セットトレイ１１での原稿Ｄの有無や原稿搬送ユニット１の開閉を検知すると、スキャン制御部１３０は、検知結果を主制御部１１０に通知する。そして、主制御部１１０は、スキャン制御部１３０から通知される検知結果に基づき、原稿搬送ユニット１への原稿Ｄのセットを検知するとともに、原稿搬送ユニット１の開閉を検知する。なお、スキャン制御部１３０を省略し、スキャン制御部１３０が行う制御を主制御部１１０に行わせるようにしてもよい。また、原稿検知部材Ｄ１および開閉検知部材Ｄ２の各検知部材を主制御部１１０に接続し、原稿搬送ユニット１への原稿Ｄのセットや原稿搬送ユニット１の開閉を主制御部１１０が直接検知するようにしてもよい。
【００４２】
図２に戻って、主制御部１１０には、通信部１４０が接続される。通信部１４０は、たとえば、外部のコンピューター２００とネットワークを介して通信可能に接続される。これにより、コンピューター２００から送信された画像データに基づき印刷を行うことができる（プリンタージョブ）。また、画像読取部２による原稿Ｄの読み取りによって得られた原稿Ｄの画像データをコンピューター２００に送信することもできる（送信ジョブ）。
【００４３】
また、通信部１４０は、モデムも含み、電話回線などのネットワークを介して、外部のファクシミリ３００とファクシミリ通信する。たとえば、通信部１４０は、画像読取部２による原稿Ｄの読み取りによって得られた原稿Ｄの画像データに基づくファクシミリデータをファクシミリ３００に送信する（送信ジョブ）。さらに、通信部１４０は、携帯型メモリー４００（ＵＳＢメモリーやメモリーカードなど）を接続するためのコネクターを含む。そして、通信部１４０は、携帯型メモリー４００から画像データを受信する。あるいは、通信部１４０は、画像読取部２による原稿Ｄの読み取りによって得られた原稿Ｄの画像データを携帯型メモリー４００に送信する（送信ジョブ）。
【００４４】
このように、通信部１４０は、画像読取部２による原稿Ｄの読み取りによって得られた原稿Ｄの画像データを送信データとし、外部機器に対してデータ送信を行う。すなわち、通信部１４０は、画像データに基づく出力を行う。なお、通信部１４０は、「出力部」に相当する。また、コンピューター２００、ファクシミリ３００および携帯型メモリー４００は、「外部機器」に相当する。
【００４５】
また、主制御部１１０には、操作パネル８が接続される。そして、主制御部１１０は、操作パネル８の表示動作を制御したり、操作パネル８に対して行われた操作を検知したりする。たとえば、主制御部１１０は、ジョブの設定の受け付けるための設定画面ＳＳ（図４参照）を操作パネル８に表示させる。また、主制御部１１０は、操作パネル８がジョブの開始指示（スタートキー８２を押す操作）を受け付けると、複合機１００の各部に指示を与え、ジョブを開始させる。
【００４６】
＜所定ジョブの設定＞
複合機１００は、原稿Ｄの読み取りを伴うジョブ（以下、所定ジョブと称する場合がある）として、コピージョブや送信ジョブの実行が可能となっている。そして、これら所定ジョブの実行に際して、操作パネル８は、図４に示すような設定画面ＳＳを表示し、所定ジョブの設定を受け付ける。なお、図４には、一例として、コピージョブの設定を受け付けるための画面を図示している。
【００４７】
コピージョブの設定画面ＳＳには、コピージョブの実行に際して設定値の変更（デフォルト値からの変更）が可能な設定項目に対応する設定項目キーＳＫ（ソフトキー）が配される。また、設定項目キーＳＫの表示領域内には、対応する設定項目の現時点の設定値が示される。図４には、一例として、用紙選択、縮小／拡大、濃度、ページ集約、読取解像度、および、原稿サイズの各設定項目にそれぞれ対応する複数の設定項目キーＳＫが配された設定画面ＳＳを図示している。
【００４８】
操作パネル８は、設定項目キーＳＫに対するタッチ操作が行われると、図示しないが、設定値入力画面を表示する。この設定値入力画面では、タッチした設定項目キーＳＫに対応する設定項目の設定値を入力することができる。すなわち、デフォルト値を所望値に変更することができる。そして、設定値入力画面にて設定値の入力がなされ、設定値入力画面内に配置されたソフトキーである確定キー（図示せず）に対するタッチ操作が行われると、操作パネル８は、表示画面を設定画面ＳＳに戻す。このとき、設定対象となった設定項目に対応する設定項目キーＳＫの表示表域内には、設定値入力画面にて入力された設定値が示される。これにより、設定値入力画面での設定が確定する。その後、操作パネル８のスタートキー８２に対する押下操作を行うと、設定画面ＳＳ（その下位階層の設定値入力画面）で設定した内容に基づきコピージョブが実行される。
【００４９】
なお、コピージョブの実行に際して設定値の変更が可能な設定項目としては、他にも多数ある。このため、設定画面ＳＳには、図示しないが、項目切替キー（ソフトキー）が配される。そして、項目切替キーに対するタッチ操作を行うと、他の設定項目に対応する設定項目キーが配された画面に切り替わる。
【００５０】
また、図示しないが、操作パネル８は、所定ジョブとしての送信ジョブの設定を受け付けるときにも、送信ジョブの設定を受け付けるための設定画面を表示する。たとえば、送信ジョブの設定画面では、送信データのファイル形式や画質（圧縮率）などの設定を行える。
【００５１】
＜所定ジョブの実行時の処理＞
所定ジョブ（原稿Ｄの読み取りを伴うジョブ）の実行時には、ユーザーにより、画像読取部２のコンタクトガラス２ｂ上に原稿Ｄがセットされる。あるいは、原稿搬送ユニット１の原稿セットトレイ１１に原稿Ｄがセットされる。そして、操作パネル８のスタートキー８２が押下される。
【００５２】
主制御部１１０は、スタートキー８２に対する押下操作を検知すると、スキャン制御部１３０に指示し、画像読取部２による原稿Ｄの読み取りを行わせる。なお、スキャン制御部１３０は、原稿セットトレイ１１に原稿Ｄがセットされていれば、原稿搬送ユニット１に原稿Ｄの搬送を行わせ、原稿搬送ユニット１にて搬送される原稿Ｄの読み取りを画像読取部２に行わせる。
【００５３】
また、画像読取部２による原稿Ｄの読み取りによって得られた原稿Ｄの画像データは、主制御部１１０（画像処理部１１２）に転送され、画像処理部１１２によって各種画像処理が行われる。そして、所定ジョブがコピージョブの場合、主制御部１１０は、画像処理後の画像データに基づく画像の印刷出力を印刷部３に行わせる。また、所定ジョブが送信ジョブの場合、主制御部１１０は、通信部１４０に指示し、外部機器（コンピューター２００、ファクシミリ３００および携帯型メモリー４００など）に対して、画像処理後の画像データを送信データとするデータ送信を行わせる。
【００５４】
ここで、再コピー（お試しコピーと称される場合もある）の実行を所望するユーザーの要望に対応するため、再コピー機能を画像形成装置に搭載することがある。再コピー機能を搭載する画像形成装置において、再コピー機能を利用するには、たとえば、前以て、再コピー機能を利用するための操作を行わなければならない。この場合には、コピージョブの実行に際して、行うべき操作が増えるので、ユーザーにとっては煩わしい。
【００５５】
そこで、主制御部１１０は、ユーザーからの指示（操作パネル８に対する指示操作）が特になくても、所定ジョブを実行すると（画像読取部２による原稿Ｄの読み取りによって原稿Ｄの画像データが生成されると）、画像読取部２により生成された原稿Ｄの画像データを再出力用データとして記憶部１２０に自動的に保存する。たとえば、再出力用データは、画像処理部１１２が画像処理を行う前の画像データである。
【００５６】
また、主制御部１１０は、再出力用データを記憶部１２０に保存した後、再出力用データを消去するトリガーとして予め定められたトリガー操作が行われるまで、再出力用データを記憶部１２０に記憶させ続ける。言い換えると、主制御部１１０は、トリガー操作が行われると、記憶部１２０から再出力用データを消去させる。なお、トリガー操作については後で詳細に説明する。
【００５７】
そして、主制御部１１０は、所定ジョブが終了してから、トリガー操作が行われるまでの間に、操作パネル８が所定ジョブの開始指示を受け付けると、記憶部１２０に記憶された再出力用データを読み出す。また、主制御部１１０は、再出力用データに対する画像処理を画像処理部１１２に行わせる。すなわち、このときには、画像読取部２による原稿Ｄの読み取りは行われない。
【００５８】
その後、所定ジョブがコピージョブの場合、主制御部１１０は、印刷部３に指示し、再出力用データ（画像処理後の画像データ）に基づく画像の印刷出力を行わせる。また、所定ジョブが送信ジョブの場合、主制御部１１０は、通信部１４０に指示し、再出力用データ（画像処理後の画像データ）を送信データとするデータ送信を行わせる。
【００５９】
これにより、所定ジョブがコピージョブの場合には、前回の所定ジョブの実行時に印刷出力された画像と同じ画像が印刷出力される。また、所定ジョブが送信ジョブの場合には、前回の所定ジョブの実行時に送信対象となった画像データと同じ画像データが送信対象となる。
【００６０】
＜再出力用データの消去＞
主制御部１１０は、所定ジョブの開始指示を操作パネル８が受け付けると、記憶部１２０に再出力用データが残っているか否かを判断する。この判断の結果、記憶部１２０に再出力用データが残っていれば、主制御部１１０は、記憶部１２０から再出力用データを読み出し、再出力用データに基づき所定ジョブを実行させる。言い換えると、記憶部１２０に再出力用データが残っている間は、別の原稿Ｄを読取対象とした所定ジョブを行えない。このため、別の原稿Ｄを読取対象とした所定ジョブを行うには、記憶部１２０から再出力用データを消去する必要がある。
【００６１】
ここで、主制御部１１０は、所定ジョブを実行すると、自動的に、画像読取部２による原稿Ｄの読み取りによって得られた原稿Ｄの画像データを再出力用データとして記憶部１２０に保存する。これにより、再コピー（お試しコピー）を所望するユーザーが行う操作を減らすようにしている。しかし、記憶部１２０から再出力用データを消去するための専用の操作が別途必要になってしまうと、ユーザーの利便性が悪くなる。
【００６２】
また、所定ジョブを実行したユーザーが再出力用データを消し忘れ、その後、別のユーザーがそのまま所定ジョブを実行する場合がある。この場合、先のユーザーが読取対象としてセットしていた原稿Ｄの画像が印刷されたり、原稿Ｄの画像データが送信データとして送信されたりする。このため、先のユーザーの原稿Ｄに記載された情報が外部に漏れてしまうので、セキュリティーの観点から好ましくない。
【００６３】
そこで、主制御部１１０は、所定ジョブの終了後、再出力用データを消去するトリガーとして予め定められたトリガー操作が行われたことを検知すると、記憶部１２０から再出力用データを消去させる。たとえば、所定ジョブの終了後、ユーザーが複合機１００から立ち去るときに通常行う操作がトリガー操作とされる。あるいは、所定ジョブの終了後、ユーザーが別の所定ジョブを開始するときに通常行う操作がトリガー操作とされる。
【００６４】
たとえば、所定ジョブの終了後、ユーザーが複合機１００から立ち去るとき、原稿Ｄを取り除くため、ユーザーによって原稿搬送ユニット１が開閉される。あるいは、所定ジョブの終了後、ユーザーが別の所定ジョブを開始するとき、ユーザーによって原稿搬送ユニット１が開閉され、原稿Ｄの交換がなされる。したがって、主制御部１１０は、所定ジョブの終了後、原稿搬送ユニット１を開閉する操作が行われたことを検知すると、トリガー操作が行われたと判断して、記憶部１２０から再出力用データを消去させる。
【００６５】
ところで、所定ジョブの実行に際して原稿搬送ユニット１が使用された場合には、所定ジョブが終了してユーザーが複合機１００から立ち去るときであっても、原稿搬送ユニット１は開閉されない。したがって、再出力用データは記憶部１２０に記憶され続ける。しかし、次に別のユーザーが所定ジョブを実行するときに、原稿Ｄをセットするために原稿搬送ユニット１を開閉すると、そのときの原稿搬送ユニット１の開閉操作がトリガー操作として検知され、再出力用データが記憶部１２０から消去される。したがって、当該ユーザーが所定ジョブを実行するときには、記憶部１２０に再出力用データが残っていない状態となる。
【００６６】
ただし、当該ユーザーも所定ジョブの実行に際して原稿搬送ユニット１を使用する場合がある。この場合には、原稿搬送ユニット１に原稿Ｄがセットされるので、原稿搬送ユニット１は開閉されない。このため、主制御部１１０は、所定ジョブの終了後、原稿搬送ユニット１に原稿Ｄをセットする操作が行われたことを検知すると、トリガー操作が行われたと判断して、記憶部１２０から再出力用データを消去させる。あるいは、原稿搬送ユニット１に原稿Ｄをセットしてから操作パネル８に対して所定ジョブの開始を指示するまでの一連の操作をトリガー操作としてもよい。
【００６７】
また、ユーザーによっては、所定ジョブの終了後、原稿Ｄを交換せず、画像読取部２による原稿Ｄの読み取りに関する設定項目の設定値（設定内容）を変更する場合がある。なお、原稿Ｄの読み取りに関する設定項目としては、読取解像度、原稿サイズおよび原稿画質などがある。たとえば、再コピーにおいて、試しに印刷した画像に問題があれば、原稿Ｄはそのままで、原稿Ｄの読み取りに関する設定が変更されることがある。
【００６８】
このように原稿Ｄの読み取りに関する設定が変更された場合、記憶部１２０に記憶された再出力用データは設定変更前の設定で原稿Ｄを読み取って得た原稿Ｄの画像データであるので、再出力用データを再利用することはできない。すなわち、記憶部１２０から再出力用データを消去し、設定変更後の設定で原稿Ｄを読み取って原稿Ｄの画像データを新たに生成する必要がある。
【００６９】
この場合、原稿搬送ユニット１を使用して所定ジョブを実行するのであれば、原稿搬送ユニット１に原稿Ｄが再セットされる。したがって、原稿搬送ユニット１に原稿Ｄを再セットする操作がトリガー操作として検知され、記憶部１２０から再出力用データが消去される。しかし、画像読取部２のコンタクトガラス２ｂ上にセットされた原稿Ｄをそのまま読取対象とするときには、原稿搬送ユニット１の開閉も行われないし、原稿搬送ユニット１への原稿Ｄの再セットも行われない。
【００７０】
このため、主制御部１１０は、所定ジョブの終了後、原稿Ｄの読み取りに関する設定を操作パネル８に対して行う操作を検知すると、トリガー操作が行われたと判断し、記憶部１２０から再出力用データを消去させる。なお、主制御部１１０は、原稿Ｄの読み取りに関する設定操作以外の設定操作が操作パネル８に対して行われても、その設定操作をトリガー操作として検知しない。
【００７１】
たとえば、コピージョブでは、印刷部３による印刷出力に関する設定操作はトリガー操作として検知しない。図４に示した設定項目を例にとると、読取解像度および原稿サイズの各設定項目の設定値を設定する操作はトリガー操作となるが、用紙選択、縮小／拡大、濃度およびページ集約の各設定項目の設定値を設定する操作はトリガー操作とはならない。また、コピー部数を設定する操作についても、その操作はトリガー操作とはならない。したがって、コピージョブの終了後、用紙サイズを変更したり、コピー部数を変更したりしても、記憶部１２０からは再出力用データは消去されない。このため、出力結果の確認用に１部だけ試しコピーを行い、その後でコピー部数を増やしてコピーを行うとき、コピー部数だけを変更していれば、再出力用データに基づくコピージョブが実行されることになる。
【００７２】
また、送信ジョブでは、送信先（アドレス）を設定する操作はトリガー操作として検知しない。したがって、送信ジョブの終了後、その送信ジョブで設定した送信先とは別の送信先に同じ画像データを送信するとき、送信先だけを変更していれば、再出力用データに基づく送信ジョブが実行されることになる。
【００７３】
以下に、図５に示すフローチャートを参照し、所定ジョブの実行時の処理の流れを説明する。
【００７４】
図５に示すフローチャートのスタート時点では、記憶部１２０に再出力用データが保存されていないとする。また、画像読取部２のコンタクトガラス２ｂまたは原稿搬送ユニット１の原稿セットトレイ１１に原稿Ｄがセットされているとする。そして、その状態で、所定ジョブの開始指示を受け付けたとき（操作パネル８のスタートキー８２が押されたとき）、図５に示すフローチャートがスタートする。
【００７５】
所定ジョブの開始指示を受け付けると、ステップＳ１において、主制御部１１０は、複合機１００の各部に指示し、所定ジョブを実行させる。なお、この時点では、記憶部１２０には再出力用データが保存されていない。したがって、画像読取部２は、原稿Ｄの読み取りを行い、原稿Ｄの画像データを生成する。そして、このとき、原稿搬送ユニット１に原稿Ｄがセットされていれば、原稿搬送ユニット１は、原稿Ｄを搬送し、画像読取部２は、原稿搬送ユニット１により搬送される原稿Ｄを読み取って原稿Ｄの画像データを生成する。
【００７６】
その後、所定ジョブがコピージョブの場合、印刷部３は、画像読取部２による原稿Ｄの読み取りによって得られた原稿Ｄの画像データに基づく印刷出力を開始する。また、所定ジョブが送信ジョブの場合、通信部１４０は、画像読取部２による原稿Ｄの読み取りによって得られた原稿Ｄの画像データを送信データとするデータ送信を開始する。
【００７７】
続いて、ステップＳ２において、主制御部１１０は、画像読取部２による原稿Ｄの読み取りによって得られた原稿Ｄの画像データを再出力用データとして記憶部１２０に記憶させる。そして、ステップＳ３において、主制御部１１０は、所定ジョブが終了したか否かを判断する。その結果、所定ジョブが終了していれば、ステップＳ４に移行し、所定ジョブが終了していなければ、ステップＳ３の判断を繰り返す。
【００７８】
ステップＳ４に移行すると、主制御部１１０は、トリガー操作を検知したか否かを判断する。その結果、トリガー操作が行われていれば、ステップＳ５に移行する。そして、ステップＳ５に移行すると、主制御部１１０は、記憶部１２０から再出力用データを消去させる。
【００７９】
一方で、ステップＳ４において、トリガー操作が行われていないと主制御部１１０が判断した場合には、ステップＳ６に移行する。ステップＳ６に移行すると、主制御部１１０は、所定ジョブの開始指示を受け付けたか否かを判断する。その結果、所定ジョブの開始指示を受け付けていれば、ステップＳ７に移行し、所定ジョブの開始指示を受け付けていなければ、ステップＳ４に移行する。
【００８０】
ステップＳ７に移行すると、主制御部１１０は、複合機１００の各部に指示し、記憶部１２０に記憶された再出力用データに基づく所定ジョブを実行させる。すなわち、所定ジョブがコピージョブの場合、印刷部３により再出力用データに基づく出力が行われる。また、所定ジョブが送信ジョブの場合、通信部１４０により再出力用データに基づく出力が行われる。なお、このとき、画像読取部２は、原稿Ｄの読み取りを行わない。そして、その後、ステップＳ３に移行する。
【００８１】
本実施形態の複合機１００（画像形成装置）は、上記のように、原稿Ｄの読み取りを伴う所定ジョブの設定を受け付けるとともに、所定ジョブの開始指示を受け付ける操作パネル８（受付部）と、操作パネル８が所定ジョブの開始指示を受け付けると、セットされた原稿Ｄを読み取って原稿Ｄの画像データを生成する画像読取部２と、画像読取部２による原稿Ｄの読み取りによって得られた原稿Ｄの画像データに基づく出力を行う印刷部３（出力部）および通信部１４０（出力部）と、所定ジョブの実行時に画像読取部２により生成された原稿Ｄの画像データを再出力用データとして記憶する記憶部１２０と、再出力用データを消去するトリガーとして予め定められたトリガー操作が行われたか否かの検知を行い、所定ジョブの終了後、トリガー操作が行われたと判断するまで、再出力用データを記憶部１２０に記憶させ続ける主制御部１１０（制御部）と、を備える。この構成において、主制御部１１０は、所定ジョブの終了後、画像読取部２にセットされた原稿Ｄを除去する操作、または、画像読取部２による原稿Ｄの読み取りに関する設定を操作パネル８に対して行う操作を検知すると、トリガー操作が行われたと判断し、再出力用データを記憶部１２０から消去させる。そして、所定ジョブが終了してから、主制御部１１０によりトリガー操作が行われたと判断されるまでの間に、操作パネル８が所定ジョブの開始指示を受け付けたとき、画像読取部２は、原稿Ｄの読み取りは行わず、印刷部３または通信部１４０は、再出力用データに基づく出力を行う。なお、印刷部３は、画像読取部２による原稿Ｄの読み取りによって得られた原稿Ｄの画像データに基づく画像を用紙Ｐに印刷して出力する。通信部１４０は、画像読取部２による原稿Ｄの読み取りによって得られた原稿Ｄの画像データを送信データとして外部機器に送信する。
【００８２】
本実施形態では、所定ジョブの実行時に画像読取部２で生成した原稿Ｄの画像データを再出力用データとして記憶部１２０に記憶させる。そして、所定ジョブの終了後、トリガー操作が行われることなく所定ジョブの開始指示を操作パネル８が受け付けると、前回（直近）の所定ジョブの実行時に読取対象となっていた原稿Ｄの画像データ（記憶部１２０に記憶された再出力用データ）に基づく出力を行う。したがって、ユーザーからすると、所定ジョブの終了後、トリガー操作を行うことなく所定ジョブの開始指示を操作パネル８に対して行うだけで、前回の所定ジョブで得られた出力結果と同じ出力結果を今回の所定ジョブでも得ることができる（たとえば、再コピーを行うことができる）ので、利便性が良い。さらに、再出力用データに基づく出力時には、画像読取部２による原稿Ｄの読み取りは行われない。このため、消費電力を低減することができるとともに、静音性も向上する。
【００８３】
また、本実施形態では、所定ジョブの終了後、別の原稿Ｄを読取対象とした所定ジョブを実行するときには、前回の所定ジョブで読取対象となっていた原稿Ｄを除去すると、記憶部１２０から再出力用データが消去される。あるいは、所定ジョブの終了後、原稿Ｄはそのままで、原稿Ｄの読み取りに関する設定を変更して所定ジョブを実行するときには、原稿Ｄの読み取りに関する設定を変更すると、記憶部１２０から再出力用データが消去される。これにより、意図していないにもかかわらず、今回の所定ジョブで得られる出力結果が前回の所定ジョブで得られた出力結果と同じになってしまうという不都合が発生するのを抑制することができる。
【００８４】
さらに、再出力用データを消去するために専用の操作が必要であれば、所定ジョブの終了後に再出力用データの消し忘れが発生する恐れがあるが、本実施形態では、所定ジョブの終了後、複合機１００から立ち去るときに原稿Ｄを除去すると、記憶部１２０から再出力用データが消去される。これにより、再出力用データに基づく出力が他のユーザーによって行われるのを抑制することができる。すなわち、原稿Ｄに記載の情報が他のユーザーに漏洩するのを抑制することができる。
【００８５】
また、本実施形態では、上記のように、画像読取部２は、原稿Ｄがセットされるコンタクトガラス２ｂと、開閉可能に設置され、コンタクトガラス２ｂにセットされた原稿Ｄの読み取り時には原稿Ｄを押える原稿搬送ユニット１（開閉部材）と、原稿搬送ユニット１の開閉に応じて出力を変化させる開閉検知部材Ｄ２と、を含む。そして、主制御部１１０は、所定ジョブの終了後、開閉検知部材Ｄ２の出力に基づき原稿搬送ユニット１の開閉を検知したとき、トリガー操作が行われたと判断する。これにより、画像読取部２（コンタクトガラス２ｂ）にセットされた原稿Ｄを除去する操作が行われたとき、容易に、その操作を検知し、トリガー操作が行われたと判断することができる。
【００８６】
また、本実施形態では、上記のように、画像読取部２のコンタクトガラス２ａ（原稿読取位置）に原稿Ｄを自動搬送する原稿搬送ユニット１が設けられている場合、主制御部１１０は、所定ジョブの終了後、原稿搬送ユニット１に原稿Ｄをセットする操作、または、原稿搬送ユニット１に原稿Ｄをセットしてから操作パネル８に対して所定ジョブの開始を指示する操作を検知したときにも、トリガー操作が行われたと判断する。これにより、所定ジョブの実行に際して原稿搬送ユニット１の使用が可能であっても（原稿搬送ユニット１が開閉されなくても）、記憶部１２０に再出力用データが保存されたまま放置されるのを抑制することができる。
【００８７】
また、本実施形態では、上記のように、主制御部１１０は、コピージョブ（所定ジョブ）の終了後、印刷部３による印刷出力に関する設定を操作パネル８に対して行う操作を検知しても、トリガー操作が行われたと判断しない。これにより、コピージョブの終了後、印刷出力に関する設定を変更しても、記憶部１２０に再出力用データを記憶させ続けることができる。
【００８８】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【００８９】
たとえば、上記実施形態では、原稿搬送ユニット１が画像読取部２に装着された場合について説明したが、原稿搬送ユニット１が画像読取部２に装着されない場合もある。この場合には、載置読取用のコンタクトガラス２０ｂにセットされた原稿Ｄを押えるため、画像読取部２に原稿押え部材が開閉可能に装着される。そして、原稿搬送ユニット１に代えて原稿押え部材が画像読取部２に装着された構成では、主制御部１１０は、所定ジョブの終了後、原稿押え部材を開閉する操作が行われたことを検知すると、トリガー操作が行われたと判断して、記憶部１２０から再出力用データを消去させる。なお、原稿押え部材は「開閉部材」に相当する。
【符号の説明】
【００９０】
１  原稿搬送ユニット（開閉部材）
２  画像読取部
２ｂ  コンタクトガラス
３  印刷部（出力部）
８  操作パネル
１００  複合機（画像形成装置）
１１０  主制御部（制御部）
１２０  記憶部
１４０  通信部（出力部）
Ｄ２  開閉検知部材
【図１】
0006281446.tif 000002
【図２】
0006281446.tif 000003
【図３】
0006281446.tif 000004
【図４】
0006281446.tif 000005
【図５】
0006281446.tif 000006